(57)【要約】      （修正有）【課題】風力タービンの構成部品を保守整備するための装置及び方法を提供すること。【解決手段】風力タービンは、タワー部材４と、ヨーシステム１２と、中央ハブと複数のブレード部材とを含む。ブレード部材２２とタワー部材４との間に動作可能に結合された構成部品操作システム４６を含む。構成部品操作システム４６は、タワー部材４に対して枢動可能に接続され且つブレード部材２２と動作可能に結合された第２の端部６１に延びる第１の端部６０を含む第１のブレード部材支持構造５４、と、ブレード部材２２とタワー部材４に動作可能に結合されたウィンチシステムとを含む。ウィンチシステムは、風力タービン２の保守整備を可能にするために、タワー部材４に対してブレード部材２２をシフトさせるように作動される。【選択図】図２
2011080466.tif 000002
【特許請求の範囲】
【請求項１】
風力タービン（２）において、
第２の末端部分（８）に延びる第１の末端部分（６）を有するタワー部材（４）と、
前記タワー部材（４）の第２の末端部分（８）に回転可能に装着されたヨーシステム（１２）と、
前記ヨーシステム（１２）に動作可能に結合され、中央ハブ（１６）と複数のブレード部材（２０〜２２）とを含む風力エネルギー収集システム（１４）と、
を備え、
前記複数のブレード部材（２０〜２２）の各々が、前記中央ハブ（１６）に動作可能に結合された根元末端部分（１６、３０、３４）と、前記中央ハブ（１６）から片持ちにされた先端部分（２７、３１、３５）と、中間部分（２８、３２、３６）とを含み、
前記風力タービン（２）が更に、
前記複数のブレード部材（２０〜２２）の少なくとも１つと前記タワー部材（４）との間に動作可能に結合された構成部品操作システム（４６、１６０）を備え、
前記構成部品操作システム（４６）が、
前記タワー部材（４）に対して枢動可能に接続され且つ前記複数のブレード部材（２０〜２２）の１つに動作可能に結合された第２の端部（６１、１８６、１１２、２１５、２１８、２２１）に延びる第１の端部（６０、１８６、１１２、２１５、２１８、２２１）を含む第１のブレード部材支持構造（５４、１６６）と、
前記複数のブレード部材（２０〜２２）の１つと前記タワー部材（４）との間に動作可能に結合され、前記タワー部材（４）に対して前記複数のブレード部材（２０〜２２）の１つをシフトさせるよう選択的に作動するウィンチシステム（１４１、２３７）と、
を含む風力タービン（２）。
【請求項２】
前記構成部品操作システム（４６、１６０）が更に、前記タワー部材（４）に対して枢動可能に結合された第１の端部セクション（１１１）と、前記複数のブレード部材（２０〜２２）の１つに結合された第２の端部セクション（１１２）とを有する第２のブレード部材支持構造（９３）を含む、
請求項１に記載の風力タービン（２）。
【請求項３】
前記構成部品操作システム（４６、１６０）が更に、前記複数のブレード部材（２０〜２２）の１つに装着されたブロック部材（１０４）を含み、該ブロック部材が、別のブレード部材支持構造（９３）の第２の端部セクション（１１２）に動作可能に結合される、
請求項２に記載の風力タービン（２）。
【請求項４】
前記ブロック部材（１０４）が、第２のブロック要素（１０７）に動作可能に結合された第１のブロック要素（１０６）を含み、前記第１及び第２のブロック要素（１０６、１０７）が、前記複数のブレード部材（２０〜２２）の１つの一部にクランプされる、
請求項３に記載の風力タービン（２）。
【請求項５】
前記第１のブレード部材支持構造（５４、１６６）の第２の末端部分（６１、１８５、１９１、２１４、２１７、２２０）が、前記複数のブレード部材（２０〜２２）の１つに枢動可能に装着される、
請求項１に記載の風力タービン（２）。
【請求項６】
前記第１のブレード部材支持構造（５４、１６６）の第２の末端部分（６１、１８５、１９１、２１４、２１７、２２０）が、前記根元端部セクション（２６、３０、３４）に近接した前記複数のブレード部材（２０〜２２）の１つに枢動可能に接続される、
請求項５に記載の風力タービン（２）。
【請求項７】
前記第１のブレード部材支持構造（５４）が、第１の支持部材（５６）及び第２の支持部材（５７）を含み、該第１及び第２の支持部材（５６、５７）の各々が、前記タワー部材（４）に枢動可能に接続された第１の末端部分（６０）と、前記複数のブレード部材（２０〜２２）の１つに枢動可能に接続された第２の末端部分（６１）とを含む、
請求項６に記載の風力タービン（２）。
【請求項８】
前記第１のブレード部材支持構造が、前記第１の支持部材（５６）の第１の端部（６０）と、前記第２の支持部材（５７）の第２の端部との間に延びる第３の支持部材（５８）を含む、
請求項７に記載の風力タービン（２）。
【請求項９】
前記第１のブレード部材支持構造（５４、１６６）が、前記ブレード部材（２０〜２２）の１つの少なくとも一部を前記タワー部材（４）から離れて選択的にシフトさせる少なくとも１つのケーブル（１４３、１９４、２３８、２３９）を含む、
請求項５に記載の風力タービン（２）。
【請求項１０】
前記第１のブレード部材支持構造（５４）が、第１の端部（１８５、１９１）及び第２の端部（１９２、１８６、１８９）を有する第１のブレード部材支持要素（１７４）と、第１の端部（２１４、２１７、２２０）及び第２の端部（２１５、２１８、２２１）を有する第２のブレード部材支持要素（１７５）と、
を含み、
前記第１のブレード部材支持要素（１７４）の第１の端部（１８５、１９１）が前記複数のブレード部材（２０〜２２）の別のものに装着され、前記第２のブレード部材支持要素（１７５）の前記第１の端部（２１４、２１７、２２０）が、前記複数のブレード部材（２０〜２２）の更に別のものに装着される、
請求項２に記載の風力タービン（２）。
【発明の詳細な説明】
【技術分野】
【０００１】
本明細書で開示される主題は、風力タービンに関し、より詳細には、風力タービンの構成部品を保守整備するための装置及び方法に関する。
【背景技術】
【０００２】
世界の電力需要を満たすために、代替エネルギー源が開発されている。このような１つの代替エネルギー源が風力発電である。風力発電は、気流により提供されるエネルギーを電気に変換する。気流は、タワーの頂部にてナセルに装着された大型のロータブレード又はプロペラを回転させる。ブレードは、ステータに対してロータを回転させて電気を発生する。回転の速度は、ブレードピッチを変化させること、並びに種々の制動システムを使用することにより制御される。強風状態の間には、風力エネルギーを取り込まないようにブレードピッチを調整して、回転速度を制限する。場合によっては、制動システムを利用して、ブレードが高回転速度に達するのを更に阻止する。弱風状態の間には、ブレードピッチは、可能な限り多くの風力エネルギーを取り込むように調整される
時間の経過と共に、風力発電機は保守が必要となる。塵埃、鳥類、及びその他が、ブレードに衝突し、損傷を与える。加えて、ブレード軸受は、連続した適正な運転を行うために交換を必要となる場合がある。これらの保守作業を達成するためには大型のクレーンが必要とされる。より具体的には、ブレード及び／又は軸受交換などの保守作業は、ブレードを地上まで降ろすために大型のクレーンを使用する必要がある。
【先行技術文献】
【特許文献】
【０００３】
【特許文献１】米国特許第７，３６０，３１０号公報
【発明の概要】
【０００４】
本発明の１つの態様によれば、風力タービンは、第２の末端部分に延びる第１の末端部分を有するタワー部材と、タワー部材の第２の末端部分に回転可能に装着されたヨーシステムと、ヨーシステムに動作可能に結合された風力エネルギー収集システムとを含む。風力エネルギー収集システムは、中央ハブと複数のブレード部材とを含む。複数のブレード部材の各々が、ハブに動作可能に結合された根元末端部分と、ハブから片持ちにされた先端部分と、中間部分とを含む。風力タービンは更に、複数のブレード部材の少なくとも１つとタワー部材との間に動作可能に結合された構成部品操作システムを含む。構成部品操作システムは、タワー部材に対して枢動可能に接続され且つ複数のブレード部材の１つに動作可能に結合された第２の端部に延びる第１の端部を含む第１のブレード部材支持構造と、複数のブレード部材の１つ及びタワー部材に動作可能に結合されたウィンチシステムとを含む。ウィンチシステムは、風力タービンの保守整備を可能にするために、タワー部材に対して複数のブレード部材の１つをシフトさせるよう選択的に作動される。
【０００５】
本発明の別の態様によれば、風力タービンを保守整備する方法は、風力タービンタワー部材に動作可能に結合されたブレード部材支持構造を介して複数のブレード部材の１つの一部を支持する段階と、複数のブレード部材の１つを中央ハブから接続解除する段階と、複数のブレード部材の１つをタワー部材に対して軸方向に下げる段階と、を含む。
【０００６】
本発明の更に別の態様によれば、風力タービン構成部品操作システムは、第２の端部に延びる第１の端部を有するブレード部材支持構造を含む。第１の端部は、風力タービンタワー部材に枢動可能に接続されるよう構成及び配置され、第２の端部は、複数の風力タービンブレード部材の１つに動作可能に接続されるよう構成及び配置される。構成部品操作システムは、複数の風力タービンブレード部材の１つと風力タービンタワー部材との間に動作可能に接続するよう構成及び配置される。
【０００７】
これら及び他の利点並びに特徴は、図面を参照しながら以下の説明から明らかになるであろう。
【図面の簡単な説明】
【０００８】
【図１】例示的な実施形態による構成部品操作システムを含む風力発電機の部分斜視図。
【図２】例示的な実施形態による構成部品操作システムの第１のブレード部材支持構造部分の部分斜視図。
【図３】例示的な実施形態による構成部品操作システムの第２のブレード部材支持構造部分の部分斜視図。
【図４】図１の構成部品操作システムを用いた軸受交換作業の部分斜視図。
【図５】別の例示的な実施形態による構成部品操作システムを含む風力発電機の部分斜視図。
【図６】図５の構成部品操作システムの第１のブレード部材支持構造部分の部分斜視図。
【図７】図５の構成部品操作システムを用いた軸受交換作業の部分斜視図。
【発明を実施するための形態】
【０００９】
本発明と見なされる主題は、本明細書と共に提出した特許請求の範囲に具体的に指摘し且つ明確に特許請求している。本発明の上記及び他の特徴並びに利点は、添付図面を参照しながら以下の詳細な説明から明らかである。
【００１０】
この詳細な説明は、例証として図面を参照し、利点及び特徴と共に本発明の例示的な実施形態を説明している。
【００１１】
図１を参照すると、例示的な実施形態に従って構成された風力タービンが、全体的に参照符号２で示されている。風力タービン２は、吹送流を取り込むために地上又は海上に容易に支持することができ、この吹送流が電力に変換される。この目的のため、風力タービン２は、中間部分１０を通って第２の末端部分８に延びる第１の末端部分６を有するタワー部材４を含む。風力タービン２は更に、タワー部材４の第２の末端部分８に位置付けられたヨーシステム／ナセル１２を含む。以下でより詳細に検討するように、ヨーシステム１２は、タワー部材４により定められる軸線１３の周りを回転する。風力タービン２は更に、ヨーシステム１２に動作可能に結合された風力エネルギー収集システム１４を含むように示されている。風力エネルギー収集システム１４は、複数のブレード部材２０〜２２を取り付けた中央ハブ１６を含む。ブレード部材２０〜２２は、吹送流に応じて全体的に回転する。ブレード部材２０〜２２はまた、ピッチを調整して吹送流からできるだけたくさんのエネルギーを取り込むように個々に回転可能である。加えて、ブレード部材２０〜２２は、現行の吹送流に面するようにヨーシステム１２の回転を通じて選択的に位置決め可能である。
【００１２】
図示の例示的な実施形態において、ブレード部材２０は、根元部分２６を含み、中間部分２８を通って先端部分２７に延びる。根元部分２６は、中央ハブ１６に動作可能に結合される。同様に、ブレード部材２１は、根元部分３０を含み、中間部分３２を通って先端部分３１に延びる。同様に、ブレード部材２２は、根元部分３４を含み、中間部分３６を通って先端部分３５に延びる。上述のように、ブレード部材２０〜２２は、吹送流に応じて回転する。ブレード部材２０〜２２の回転は、ヨーシステム１２内に配列された発電機（図示せず）に結合される。発電機は、吹送流からのエネルギーを電気エネルギーに変換する。時間の経過と共に、風力エネルギー収集システム１４に対する種々の保守作業を実施するために、風力タービンの構成部品を移動、シフト、及び／又は操作する必要がある。この目的のために、風力タービン２は、構成部品操作システム４６を含む。
【００１３】
ここで、図２〜４を参照して、例示的な実施形態に従って構成された構成部品操作システム４６を説明する。図示のように、構成部品操作システム４６は、第１の支持部材５６、第２の支持部材５７、及び第３の支持部材５８を有する第１のブレード部材支持構造５４を含む。第１の支持部材５６は、中間部分６２を通って第２の末端部分６１に延びる第１の末端部分６０を含む。第１の末端部分６０は、取付部材６５を介してタワー部材４に枢動可能に装着される。同様に、第２の末端部分６１は、取付要素６６を介してブレード部材２２の根元部分３４に枢動可能に装着される。図示の例示的な実施形態では、取付部材６５及び取付要素６６は、タワー部材４と、ブレード部材２２とにそれぞれ固着されて示されている。しかしながら、ストラップ、バンド、及び同様のものなど他の種々の取付方法を利用して、取付部材６５及び取付要素６６がそれぞれの構成部品から容易に脱着できるようにすることができる。第１の支持部材５６はまた、伸張可能部材６９を含むように示されている。伸張可能部材６９は、第１の支持部材５６の長手方向の長さを調整するよう選択的に位置決めすることができる。
【００１４】
第１の支持部材５６に関する上記の説明と同様にして、第２の支持部材５７は、第１の末端部分（図示せず）を含み、中間部分７４を通って第２の末端部分（図示せず）に延びる。第２の支持部材５７の第１の末端部分は、取付部材（図示せず）を介してタワー部材４に枢動可能に装着され、第２の支持部材５７の第２の末端部分は、取付部材（図示せず）を介してブレード部材３２の根元部分３４に枢動可能に装着される。上述と同様にして、第２の支持部材５７は伸張可能部材７７を含む。更に例示的な実施形態によれば、第３の支持部材５８は、第１の支持部材５６の第１の末端部分６０に装着された第１の末端部分８１を含む。第１の末端部分８１は、中間部分８３を通って第２の末端部分８２に延びる。第２の末端部分８２は、第２の支持部材５７の第２の端部に接続される。このようにして、第３の支持部材５８は、構造上の支持を提供し、ブレード部材支持構造５４の安定性を向上させる。
【００１５】
図３に最もよく示されるように、構成部品操作システム４６はまた、第２のブレード部材支持構造９３を含む。第２のブレード部材支持構造９３は、第１の支持要素９６、第２の支持要素９７、及び第３の支持要素９８を含む。第２のブレード部材支持構造９３は更に、第１のブロック要素１０６及び第２のブロック要素１０７を有するブロック部材１０４を含む。第１及び第２のブロック要素１０６及び１０７は、ブレード部材２２の中間部分３６に脱着可能に装着される。勿論、ブロック部材１０４の特定の位置決めは、本発明の範囲から逸脱することなく変えることができる。
【００１６】
第１の支持要素９６は、第１の端部セクション１１１を含み、中間セクション１１３を通って第２の端部セクション１１２に延びる。第１の端部セクション１１１は、取付部材１１６を介してタワー部材４に枢動可能に装着される。第１の支持要素９６の第２の端部セクション１１２は、ブロック部材１０４に枢動可能に装着される。上述と同様にして、第１の支持要素９６は伸張部材１１７を含む。同様に、第２の支持要素９６は、第１の端部セクション（図示せず）を含み、中間セクション１２１を通って第２の端部セクション（図示せず）に延びる。第２の支持要素９７はまた、伸張部材（図示せず）を含む。最後に、第３の支持要素９８は、第１の端部セクション１２８を含み、中間セクション１３０を通って第２の端部セクション１２８に延びる。第１の端部セクション１２８は、第１の支持要素９６の第１の端部セクション１１１に接続され、第２の端部セクション１２９は、第２の支持要素９７の第２の端部セクションに接続される。この構成では、第３の支持要素９８は、構造上の支持を提供し、第２のブレード部材支持構造９３に対する安定性をもたらす。図示していないが、第３の支持要素９８は、第２の支持要素９７の第１の端部セクション１１１と第２の端部セクションとの間の接続性を向上させる伸張部材を含むことができる。この時点において、第１及び第２のブレード部材支持構造５４及び９３は、例えば、タワーに対して枢動する堅固なプラットフォームを含むことができる。プラットフォームは、ブレード部材２０〜２２を操作し、風力タービン２上の種々の場所への人のアクセスを容易にするのに利用される調整システムを含む。
【００１７】
更に例示的な実施形態によれば、構成部品操作システム４６は、ウィンチシステム１４１を含む。ウィンチシステム１４１は、第１のケーブル１４３及び第２のケーブル１４４を含む。第１及び第２のケーブル１４３、１４４は、第１のブレード部材支持構造５４と第２のブレード部材支持構造９３との間に延びる。第１のケーブル１４３は、第１の支持部材５６の第１の末端部分６０と第１の支持要素９６の第２の端部セクション１１２との間に延びる。同様に、第２のケーブル１４４は、第２の支持部材５７の第１の端部セクション（図示せず）と第１の支持要素９６の第２の末端部分（図示せず）との間に延びる。ウィンチシステム１４１はまた、ハブ１６に対してブレード部材２２を下げるように選択的に作動される作動システム（図示せず）を含む。すなわち、第１及び第２のケーブル１４３、１４４は、例えば、タワー部材４の第２の末端部分８に配列されたプーリーシステム、ドラムシステム、又は同様のものに接続される。この構成では、第１及び第２のケーブル１４３、１４４は、以下でより詳細に検討するように、ブレード部材２２が第１及び第２のブレード部材支持構造５４、９３の周りを枢動できるように延長及び／又は後退される。勿論、ウィンチシステム１４１はまた、タワー部材４又はナセル１２上に設けられる専用取付ポイントを含むことができる点は、理解されたい。
【００１８】
時間の経過と共に、各ブレード部材２０〜２２に関連する軸受を交換することが必要になる場合がある。軸受を交換するために、関連ブレード部材を中央ハブ１６から取り外さなければならない。例示的な実施形態によれば、ブレード部材２２は、図４に示すように中央ハブ１６から緩められる。ケーブル１４３及び１４４は、ブレード部材２２を選択的に下げるよう延長される。ケーブル１４３及び１４４が延長すると、ブレード部材２２は、第１及び第２のブレード部材支持構造５４及び９３の周りを枢動する。ブレード部材２２が中央ハブ１６から間隔を置いて配置されると、ヨーシステム１２は、タワー部材４に対して風力エネルギー収集システム１４を枢動させる。このように、中央ハブ１６はここではブレード部材２２と無関係である。この時点では、１４９で示すような軸受は、中央ハブ１６から選択的に取り外されて降下される。交換軸受１４９が設置された後、ヨーシステム１２が枢動して、ブレード部材２２に隣接する中央ハブ１４を位置決めするように戻される。ヨーシステム１２の作動に加えて、ブレード部材２２、交換軸受１４９、及びハブ１６の最終位置合わせを助けるために、ピッチシステム（図示せず）も作動させることができる。この時点では、ケーブル１４３及び／又は１４４が後退され、ブレード部材２２を選択的に引き上げて所定位置に戻す。所定位置にあると、ブレード部材２２が締結され、ブレード部材支持構造５４及び９３がタワー部材４から取り外され、或いは、追加のブレード部材の保守整備のために利用される。この構成では、風力タービン用ブレード部材の各々は、高価なクレーン作業及び関連するクレーン作業要員を必要とせずに容易に保守整備することができる。
【００１９】
次に、図５〜７を参照して、別の例示的な実施形態に従って構成された構成部品操作システム１６０を説明する。図示のように、構成部品操作システム１６０は、構成部品操作システム４６に関連して上記で説明したものに類似した、第１のブレード部材支持構造１６６及び第２のブレード部材支持構造（図示せず）を含む。第１のブレード部材支持構造１６６は、第１のブレード部材支持要素１７４及び第２のブレード部材支持要素１７５を含む。第１のブレード部材支持要素１７４は、ブレード部材２０に装着され、第２のブレード部材支持要素１７５は、ブレード部材２１に装着される。
【００２０】
図６で最もよく示されるように、第１のブレード部材支持要素１７４は、第１の支持ロッド１８０、第２の支持ロッド１８１、及び第３の支持ロッド１８２を含む。第１の支持ロッド１８０は、ブレード部材２０に装着された第１の端部１８５を含み、第２の端部１８６に延びる。同様に、第２の支持ロッド１８１は、ブレード部材２２に装着される第１の端部（図示せず）を含み、第２の端部１８９に延びる。同様に、第３の支持ロッド１８２は、ブレード部材２２に結合された第１の端部１９１を含み、第２の端部１９２に延びる。第１、第２及び第３の支持ロッド１８０〜１８２の第２の端部１８６、１８９、及び１９２の各々は、リンク部材１９４により集合的に連結される。第１の支持ロッド１８０の第１の端部１８５及び第２の支持ロッド１８１の第２の端部（図示せず）は、第１のストラップ要素１９７を通じてブレード部材２０に接続される。より具体的には、第１の支持ロッド１８０の第１の端部１８５は、第１のストラップ要素１９７に接続された第１のバックル１９８に接続され、第２の支持ロッド１８１の第２の端部（図示せず）は、ストラップ要素１９７に結合された第２のバックル（図示せず）に接続される。第３の支持ロッド１８２の第１の端部１９１は、バックル２０３を介して第２のストラップ要素２０２に接続される。この構成では、第１、第２及び第３の支持ロッド１８０〜１８２の各々は、ブレード部材２０から片持ちにされる。
【００２１】
上述と同様にして、第２のブレード部材支持要素１７５は、第１の支持ロッド２１０、第２の支持ロッド２１１、及び第３の支持ロッド２１２を含む。第１の支持ロッド２１０は、ブレード部材２１に動作可能に結合され、第２の端部２１５に延びる第１の端部２１４を含む。同様に、第２の支持ロッド２１１は、ブレード部材２１に動作可能に結合され、第２の端部２１８に延びる第１の端部２１７を含む。第３の支持ロッド２１２は、ブレード部材２１に結合され、第２の端部２２１に延びる第１の端部２２０を含む。第２の端部２１５、２１８、及び２２１の各々は、リンク部材２２３により連結される。上述と同様にして、第１及び第２の支持ロッドの第１の端部２１４及び２１７は、対応する第１及び第２のバックル２２７及び２２８を介して第１のストラップ要素２２６に接続される。第３の支持ロッド２１２の第１の端部２２０は、バックル２３１を介して第２のストラップ要素２３０に結合される。ストラップ要素１９７、２０２、２２６、及び２３０は、第１及び第２のブレード部材支持要素１７４及び１７５と、ブレード部材２０〜２２の対応するものとの間の取り外し可能接続部を提供する。この構成では、第１及び第２のブレード部材支持要素１７４及び１７５は、保守作業を容易にするために、中央ハブ１６から複数のブレード部材２０〜２２の１つを選択的に下ろすのに利用される。
【００２２】
更に例示的な実施形態によれば、構成部品操作システム１６０は、第１のケーブル２３８及び第２のケーブル２３９を有するウィンチシステム２３７を含む。第１のケーブル２３８は、リンク部材１９４と、ブレード部材２２上に設けられる取付部材２４１との間に延び、第２のケーブル２３９は、リンク部材２２３と、ブレード部材２２の対向する側部上に設けられる取付部材２４２との間に延びる。取付部材２４１及び２４２は、ブレード部材２２に固着され、或いは、ストラップ、バンド、又は他の同様のものを介して取り付けられ、取り付け及び取り外しを容易にできるようにする。上述と同様にして、ウィンチシステム２３７はまた、ブレード部材２２をハブ１６に対して昇降するよう選択的に動作される作動システム（図示せず）を含む。すなわち、第１及び第２のケーブル２３８及び２３９は、例えば、タワー部材４の第２の末端部分８にて配列されるプーリーシステム、ドラムシステム、又は同様のものに接続される。この構成では、第１及び第２のケーブル２３８及び２３９は、中央ハブ１６からブレード部材を下げるようにするために延長及び／又は後退することができる。勿論、ウィンチシステム２３７は、単に、固定長のケーブル又はチェーンなどの最初に調整可能な長さのケーブルを含むことができ、これらは、ブレード部材２０及び２１の一方、他方、或いは両方の移動により操作される。
【００２３】
図７に最もよく示されるように、第１及び第２のブレード部材支持要素１７４及び１７５をブレード部材２０及び２１にそれぞれ取り付けた後、ウィンチシステム２３７は、ブレード部材２２に接続される。この時点で、ブレード部材２２は、中央ハブ１６から緩められる。緩められると、第１及び第２のケーブル２３８及び２３９は、中央ハブ１６に対してブレード部材２２を下げるよう延長される。ブレード部材２２を下げた後、ブレード部材２０及び２１は、長手方向軸線の周りを回転され、ブレード部材２２を中央ハブ１６から離れてシフトさせるようにする。すなわち、各ブレード部材２０及び２２に対してピッチ調整が行われる。ピッチ調整は、第１及び第２のブレード部材支持要素１７４及び１７５の対応する枢動を生じさせ、その結果、ブレード部材２２をタワー部材４から離れてシフトさせる。この時点で、中央ハブ１６の内部構成部品に対してメンテナンス作業を実施することができる。図示の例示的な実施形態では、ブレード部材２２を取り外した後、軸受２４６が取り外され、続いて交換される。勿論、他の種々の保守作業も実施できることを理解されたい。何れの場合においても、軸受２４６が取り外されて交換されると、中央ハブ１６に対してブレード部材２０を再配置するために、ブレード２０及び２１に追加のピッチ調整を行う。この時点で、第１及び第２のケーブル２３８及び２３９が後退され、ブレード部材２２を引き上げて、中央ハブ１６内の位置に戻すようにする。適正に位置付けられると、ブレード部材２２は締結され、構成部品操作システム１６０を取り外すことができる。
【００２４】
図示の例示的な実施形態によれば、ブレード部材２２が中央ハブ１６に対して下げられると、中間部分３６が第２のブレード部材支持要素９３を介して支持される。このようにして、ブレード部材２２は、タワー部材４に対して枢動して支持され、保守整備中の移動を低減するようにする。この時点では、本発明により、クレーン作業などの高価な地上支持機器を必要とすることなく、風力タービンの保守整備が可能になる点を理解されたい。加えて、構成部品操作システムが比較的簡素であることで、より少数の保守要員及びこのような保守義務を実施するのに通常必要なもので風力タービンを保守整備できるようになる。
【００２５】
限られた数の実施形態のみに関して本発明を詳細に説明してきたが、本発明はこのような開示された実施形態に限定されないことは理解されたい。むしろ、本発明は、上記で説明されていない多くの変形、改造、置換、又は均等な構成を組み込むように修正することができるが、これらは、本発明の技術的思想及び範囲に相応する。加えて、本発明の種々の実施形態について説明してきたが、本発明の態様は記載された実施形態の一部のみを含むことができる点を理解されたい。従って、本発明は、上述の説明によって限定されると見なすべきではなく、添付の請求項の範囲によってのみ限定される。
【符号の説明】
【００２６】
２  風力タービン（地上／洋上）
４  タワー部材
６  第１の末端部分（４）
８  第２の末端部分（４）
１０  中間部分（４）
１２  ヨーシステム
１３  軸線（４）
１４  風力収集システム
１６  中央ハブ（１４）
２０  ブレード部材
２１  ブレード部材
２２  ブレード部材
２６  根元部分（２０）
２７  先端部分（２０）
２８  中間部分（２０）
３０  根元部分（２１）
３１  先端部分（２１）
３２  中間部分（２１）
３４  根元部分（２２）
３５  先端部分（２２）
３６  中間部分（２２）
４６  構成部品操作システム
５４  ブレード部材支持構造
５６  第１の支持部材
５７  第２の支持部材
５８  第３の支持部材
６０  第１の末端部分（５６）
６１  第２の末端部分（５６）
６２  中間部分（５６）
６５  取付部材
６６  取付要素
６９  伸張可能部材
７２  第１の（５７）
７３  第２の（５７）
７４  中間部分（５７）
７５  取付部材
７７  伸張可能部材
８１  第１の端部（５８）
８２  第２の端部（５８）
８３  中間部分（５８）
８４  伸張可能
９３  第２のブレード部材支持構造
９６  第１の支持要素
９７  第２の支持要素
９８  Ｔｈｉｒｄ支持要素
１０４  Ｂｌｏｃｋ部材
１０６  第１のブロック要素
１０７  第２のブロック要素
１１１  第１の端部セクション（９６）
１１２  第２の端部セクション（９６）
１１３  中間セクション（９６）
１１６  取付部材
１１７  伸張可能部材
１１９  第１の端部セクション（ＮＳ）（９７）
１２０  第２の端部セクション（ＮＳ）（９７）
１２１  中間セクション（９７）
１２２  伸張可能（ＮＳ）
１２８  第１の端部セクション（９８）
１２９  第２の端部セクション（９８）
１３０  中間セクション（９８）
１３１  伸張可能部材（ＮＳ）
１４１  ウィンチシステム
１４３  第１のケーブル
１４４  第２のケーブル
１４６  （プーリーシステム）
１４７  （ドラムシステム）
１４８  記載の方法
１４９  軸受
１６０  構成部品操作システム
１６６  第１のブレード部材支持構造
１６９  第２のブレード部材（ＦＩＧ．３）
１７４  第１のブレード部材支持要素
１７５  第２のブレード部材支持要素
１８０  第１の支持ロッド（１７４）
１８１  第２の支持ロッド（１７４）
１８２  第３の支持ロッド（１７４）
１８５  第１の端部（１８０）
１８６  第２の端部（１８０）
１８８  第１の端部（ＮＳ）（１８０）
１８９  第２の端部（１８２）
１９１  第１の端部（１８３）
１９２  第２の端部（１８３）
１９４  リンク部材
１９７  １ストラップ要素
１９８  １バックル
１９９  ２バックル（ＮＳ）
２０２  ２ストラップ要素
２０３  バックル
２１０  第１の支持ロッド
２１１  第２の支持ロッド
２１２  第３の支持ロッド
２１４  第１の端部（２１０）
２１５  第２の端部（２１０）
２１７  第１の端部（２１１）
２１８  第２の端部（２１１）
２２０  第１の端部（２１２）
２２１  第２の端部（２１２）
２２３  リンク部材
２２６  第１のストラップ要素
２２７  バックル
２２８  バックル
２３０  第２のストラップ要素
２３１  バックル
２３７  ウィンチシステム
２３８  第１のケーブル
２３９  第２のケーブル
２４１  取付部材
２４２  取付部材
２４６  軸受
【図１】
2011080466.tif 000003
【図２】
2011080466.tif 000004
【図３】
2011080466.tif 000005
【図４】
2011080466.tif 000006
【図５】
2011080466.tif 000007
【図６】
2011080466.tif 000008
【図７】
2011080466.tif 000009